(57)【要約】      （修正有）【課題】衣服のベルト部へ容易に着脱可能で、臨時に着脱でき、一時的に使用し、必要がなくなれば直ちに取外しできるサイズ調節具を提供する。【解決手段】サイズ調節具２は、長手方向に伸びる矩形の板状体３と、板状体の長手方向の一方の側の端側における上端縁から板状体の背面との間に所定の間隔をあけて板状体の下側方向に向かって伸びる固定片５と、長手方向において前記一方の側に近い位置に配備されていて前記一方の側に対向する他方の側の開口縁が上下方向に伸びる第一掛止縁７ａになっている第一掛止開口７と、前記一方の側に遠い位置に配備されていて前記他方の側の開口縁が上下方向に伸びる第二掛止縁６ａになっている第二掛止開口６と、第二掛止開口の長手方向における一方の側の近傍から板状体の背面との間に所定の間隔をあけて長手方向で一方の側から離れて他方の側に向かう方向で伸びるサイズ調節具掛止片８とを備えている。【選択図】図３
0003202999.tif 000002
【実用新案登録請求の範囲】
【請求項１】
長手方向に伸びる矩形の板状体（３、２３、４３）と、
前記板状体（３、２３、４３）の前記長手方向の一方の側の端側における前記長手方向に直交する上下方向の上端縁から前記板状体（３、２３、４３）の表面側から背面側に向かう方向で伸びる固定片支持腕片（５ａ、２５ａ、４５ａ）を介して支持され、前記板状体（３、２３、４３）の背面との間に所定の間隔をあけて前記板状体（３、２３、４３）の前記上下方向における下側方向に向かって伸びる固定片（５、２５、４５）と、
前記板状体（３、２３、４３）の前記長手方向において前記長手方向で互いの間に所定の間隔をあけて形成されている２つの掛止開口であって、
前記長手方向において前記固定片（５、２５、４５）が配備されている前記一方の側に近い位置に配備されていて、前記長手方向における前記一方の側に対向する他方の側の開口縁が前記上下方向に伸びる第一掛止縁（７ａ、２６ａ、４６ａ）になっている第一掛止開口（７、２６、４６）と、
前記長手方向において前記固定片（５、２５、４５）が配備されている前記一方の側に遠い位置に配備されていて、前記長手方向における前記一方の側に対向する他方の側の開口縁が前記上下方向に伸びる第二掛止縁（６ａ、２７ａ、４７ａ）になっている第二掛止開口（６、２７、４７）と、
前記第二掛止開口（６、２７、４７）の前記長手方向における前記一方の側の近傍から前記板状体（３、２３、４３）の表面側から背面側に向かう方向で伸びる掛止片支持腕片（８ａ、２８ａ、４８ａ）を介して支持され、前記板状体（３、２３、４３）の背面との間に所定の間隔をあけて前記長手方向で、前記一方の側から離れて前記他方の側に向かう方向で伸びるサイズ調節具掛止片（８、２８、４８）と
を備えているサイズ調節具（２、２２、４２）。
【請求項２】
長手方向に伸びる矩形の板状体（１３、３３、５３）と、
前記板状体（１３、３３、５３）の前記長手方向の一方の側の端側における前記長手方向に直交する上下方向の上端縁から前記板状体（１３、３３、５３）の表面側から背面側に向かう方向で伸びる固定片支持腕片（１５ａ、３５ａ、５５ａ）を介して支持され、前記板状体（１３、３３、５３）の背面との間に所定の間隔をあけて前記板状体（１３、３３、５３）の前記上下方向における下側方向に向かって伸びる固定片（１５、３５、５５）と、
前記板状体（１３、３３、５３）の前記長手方向において前記長手方向で互いの間に所定の間隔をあけて形成されている２つの掛止開口であって、
前記長手方向において前記固定片（１５）が配備されている前記一方の側に近い位置に配備されていて、前記長手方向における前記一方の側に対向する他方の側の開口縁が前記上下方向に伸びる第一掛止縁（１７ａ、３６ａ、５６ａ）になっている第一掛止開口（１７、３７、５７）と、
前記長手方向において前記固定片（１５、３５、５５）が配備されている前記一方の側に遠い位置に配備されていて、前記長手方向における前記一方の側に対向する他方の側の開口縁が前記上下方向に伸びる第二掛止縁（１６ａ、３７ａ、５７ａ）になっている第二掛止開口（１６、３７、５７）と、
前記第一掛止開口（１７、３７、５７）の前記長手方向における前記一方の側の近傍から前記板状体（１３、３３、５３）の表面側から背面側に向かう方向で伸びる掛止片支持腕片（１８ａ、３８ａ、５８ａ）を介して支持され、前記板状体（１３、３３、５３）の背面との間に所定の間隔をあけて前記長手方向で、前記一方の側から離れて前記他方の側に向かう方向で伸びるサイズ調節具掛止片（１８、３８、５８）と
を備えているサイズ調節具（１２、３２、５２）。
【考案の詳細な説明】
【技術分野】
【０００１】
この考案は、衣服におけるベルト部の長さを長短調節可能にするサイズ調節具に関する。
【背景技術】
【０００２】
衣服のベルト部の長短を微調節するサイズ調節具については、従来から種々提案されている。
【０００３】
本願出願人がすでに提案しているサイズ調節具（特許文献１）は、板体に掛止片と固定片とを設けたもので、衣服のベルト部へ縫着することなく、衣服のベルト部へ容易に着脱できるものであった。また、臨時に着脱することが可能で、一時的に使用し、必要がなくなれば直ちに取外すことができるものであった。
【０００４】
人の腹囲は急激に変化するものではないので、通常は既設の掛止片と鈎片で十分間に合うが、食事などによる一時的腹囲の変化、又は急に低温化して、下着を増加したり、厚手の下着を着用する場合などには、通常の調節では間に合わない場合がある。このような時に、本願出願人がすでに提案しているサイズ調節具（特許文献１）を利用すれば、直ぐにフィットして、着心地がよくなる効果を発揮させることができた。
【先行技術文献】
【特許文献】
【０００５】
【特許文献１】実用新案登録第３１２１８１１号公報
【考案の概要】
【考案が解決しようとする課題】
【０００６】
この考案は、衣服のベルト部へ縫着することなく、衣服のベルト部へ容易に着脱可能で、臨時に着脱することが可能で、一時的に使用し、必要がなくなれば直ちに取外すことができ、食事などによる一時的腹囲の変化、又は急に低温化して、下着を増加したり、厚手の下着を着用する場合、逆に、身に着けていた下着の数を減らす、薄手の下着に変更するなどの時に、直ぐにフィットして、着心地がよくなるサイズ調節具を提供することを目的にしている。
【課題を解決するための手段】
【０００７】
長手方向に伸びる矩形の板状体と、
前記板状体の前記長手方向の一方の側の端側における前記長手方向に直交する上下方向の上端縁から前記板状体の表面側から背面側に向かう方向で伸びる固定片支持腕片を介して支持され、前記板状体の背面との間に所定の間隔をあけて前記板状体の前記上下方向における下側方向に向かって伸びる固定片と、
前記板状体の前記長手方向において前記長手方向で互いの間に所定の間隔をあけて形成されている２つの掛止開口であって、
前記長手方向において前記固定片が配備されている前記一方の側に近い位置に配備されていて、前記長手方向における前記一方の側に対向する他方の側の開口縁が前記上下方向に伸びる第一掛止縁になっている第一掛止開口と、
前記長手方向において前記固定片が配備されている前記一方の側に遠い位置に配備されていて、前記長手方向における前記一方の側に対向する他方の側の開口縁が前記上下方向に伸びる第二掛止縁になっている第二掛止開口と、
前記第二掛止開口の前記長手方向における前記一方の側の近傍から前記板状体の表面側から背面側に向かう方向で伸びる掛止片支持腕片を介して支持され、前記板状体の背面との間に所定の間隔をあけて前記長手方向で、前記一方の側から離れて前記他方の側に向かう方向で伸びるサイズ調節具掛止片と
を備えているサイズ調節具。
【０００８】
長手方向に伸びる矩形の板状体と、
前記板状体の前記長手方向の一方の側の端側における前記長手方向に直交する上下方向の上端縁から前記板状体の表面側から背面側に向かう方向で伸びる固定片支持腕片を介して支持され、前記板状体の背面との間に所定の間隔をあけて前記板状体の前記上下方向における下側方向に向かって伸びる固定片と、
前記板状体の前記長手方向において前記長手方向で互いの間に所定の間隔をあけて形成されている２つの掛止開口であって、
前記長手方向において前記固定片が配備されている前記一方の側に近い位置に配備されていて、前記長手方向における前記一方の側に対向する他方の側の開口縁が前記上下方向に伸びる第一掛止縁になっている第一掛止開口と、
前記長手方向において前記固定片が配備されている前記一方の側に遠い位置に配備されていて、前記長手方向における前記一方の側に対向する他方の側の開口縁が前記上下方向に伸びる第二掛止縁になっている第二掛止開口と、
前記第一掛止開口の前記長手方向における前記一方の側の近傍から前記板状体の表面側から背面側に向かう方向で伸びる掛止片支持腕片を介して支持され、前記板状体の背面との間に所定の間隔をあけて前記長手方向で、前記一方の側から離れて前記他方の側に向かう方向で伸びるサイズ調節具掛止片と
を備えているサイズ調節具。
【考案の効果】
【０００９】
この考案によれば、衣服のベルト部へ縫着することなく、衣服のベルト部へ容易に着脱可能で、臨時に着脱することが可能で、一時的に使用し、必要がなくなれば直ちに取外すことができ、食事などによる一時的腹囲の変化、又は急に低温化して、下着を増加したり、厚手の下着を着用する場合、逆に、身に着けていた下着の数を減らす、薄手の下着に変更するなどの時に、直ぐにフィットして、着心地がよくなるサイズ調節具を提供することができる。
【図面の簡単な説明】
【００１０】
【図１】（ａ）本考案のサイズ調節具が適用される衣服のベルト部における一般的な掛合構造を説明する斜視図、（ｂ）図１（ａ）における掛合部と掛止部との間の掛合状態を説明する斜視図。
【図２】本考案のサイズ調節具の一実施形態を説明する図であって、（ａ）は表面側から見た図、（ｂ）は平面側から見た図、（ｃ）は背面側から見た図。
【図３】図２図示の実施形態のサイズ調節具を用いたサイズの調節を説明する図であって、（ａ）はベルトが装着されている腹囲が大きくなった場合の調整、（ｂ）はベルトが装着されている腹囲が小さくなった場合の調整を説明する図。
【図４】本考案のサイズ調節具の他の実施形態を説明する図であって、（ａ）は表面側から見た図、（ｂ）は平面側から見た図、（ｃ）は背面側から見た図。
【図５】図４図示の実施形態のサイズ調節具を用いたサイズの調節を説明する図であって、（ａ）はベルトが装着されている腹囲が大きくなった場合の調整、（ｂ）はベルトが装着されている腹囲が更に大きくなった場合の調整を説明する図。
【図６】本考案のサイズ調節具の更に他の実施形態を説明する図であって、（ａ）は表面側から見た図、（ｂ）は平面側から見た図、（ｃ）は背面側から見た図。
【図７】図６図示の実施形態のサイズ調節具を用いたサイズの調節を説明する図であって、（ａ）はベルトが装着されている腹囲が大きくなった場合の調整、（ｂ）はベルトが装着されている腹囲が小さくなった場合の調整を説明する図。
【図８】本考案のサイズ調節具の更に他の実施形態を説明する図であって、（ａ）は表面側から見た図、（ｂ）は平面側から見た図、（ｃ）は背面側から見た図。
【図９】図８図示の実施形態のサイズ調節具を用いたサイズの調節を説明する図であって、（ａ）はベルトが装着されている腹囲が大きくなった場合の調整、（ｂ）はベルトが装着されている腹囲が更に大きくなった場合の調整を説明する図。
【図１０】本考案のサイズ調節具の更に他の実施形態を説明する図であって、（ａ）は表面側から見た図、（ｂ）は平面側から見た図、（ｃ）は背面側から見た図。
【図１１】図１０図示の実施形態のサイズ調節具を用いたサイズの調節を説明する図であって、（ａ）はベルトが装着されている腹囲が大きくなった場合の調整、（ｂ）はベルトが装着されている腹囲が小さくなった場合の調整を説明する図。
【図１２】本考案のサイズ調節具の更に他の実施形態を説明する図であって、（ａ）は表面側から見た図、（ｂ）は平面側から見た図、（ｃ）は背面側から見た図。
【図１３】図１２図示の実施形態のサイズ調節具を用いたサイズの調節を説明する図であって、（ａ）はベルトが装着されている腹囲がより大きくなった場合の調整、（ｂ）はベルトが装着されている腹囲があまり大きくなってはいないが、大きくなった場合の調整を説明する図。
【考案を実施するための形態】
【００１１】
（本考案のサイズ調節具が使用される衣服のベルト部）
一般的に、衣服１のベルト部１００には、図１において符号１０２で示している掛止部と、符号１０１で示している掛合部が取り付けられていて、両者の間で掛合が行われるようになっている。
【００１２】
例えば、ベルト部１００の掛合しあう一方の端部１００ａに掛合部としての鉤部１０１が配備されていて、ベルト部１００の掛合しあう他方の端部１００ｂに掛止部１０２が配備されている。
【００１３】
図示の例では、鉤部１０１は、ベルト部１００の一方の端部１００ａに、取付け部１０１ａ、１０１ｂを縫い付ける、等して取り付けられている。
【００１４】
一方、掛止部１０２は、ベルト部１００の他方の端部１００ｂに、取付片部１０２ｂを縫い付ける、等して取り付けられている。
【００１５】
ベルト部１００の他方の端部１００ｂに取り付けられている掛止部１０２が図１（ｂ）中、矢印１０３で示す方向に移動させられ、掛止部１０２の掛止片１０２ａが、ベルト部１００の一方の端部１００ａに取り付けられている鉤部１０１の鉤片１０１ａに掛止されて、掛合が行われる。
【００１６】
このように掛合が行われた後、互いに掛合しあう、ベルト部１００の一方の端部１００ａと、他方の端部１００ｂとの間の掛合しあう位置を、ベルト１００が装着されている腹囲の大きさの変動に応じて簡単に調整できるようにするものが本実施形態の「サイズ調節具」である。
【００１７】
（実施の形態１）
図２、３を用いてこの実施形態を説明する。
【００１８】
サイズ調節具２は長手方向に伸びる矩形の板状体３からなる。
【００１９】
矩形の板状体３からなるサイズ調節具２は、板状体３の長手方向（図２（ａ）中、左右方向）の一方の側の端側（図２（ａ）では右端側）における前記長手方向に直交する上下方向の上端縁（図２（ａ）における上端縁）から板状体３の表面側から背面側に向かう方向で伸びる固定片支持腕片５ａ（図２（ｂ））を介して支持され、板状体３の背面との間に所定の間隔をあけて板状体３の前記上下方向における下側方向（図２（ａ）における下側方向）に向かって伸びる固定片５を備えている。
【００２０】
矩形の板状体３からなるサイズ調節具２は、記板状体３の前記長手方向において前記長手方向で互いの間に所定の間隔をあけて形成されている２つの掛止開口を備えている。
【００２１】
２つの掛止開口の中の一つである第一掛止開口７は、前記長手方向において固定片５が配備されている前記一方の側に近い位置に配備されていて、前記長手方向における前記一方の側に対向する他方の側の開口縁が前記上下方向に伸びる第一掛止縁７ａになっている。
【００２２】
２つの掛止開口の中の他の一つである第一掛止開口６は、前記長手方向において固定片５が配備されている前記一方の側に遠い位置に配備されていて、前記長手方向における前記一方の側に対向する他方の側の開口縁が前記上下方向に伸びる第二掛止縁６ａになっている。
【００２３】
矩形の板状体３からなるサイズ調節具２は、更に、サイズ調節具掛止片８を備えている。サイズ調節具掛止片８は、第二掛止開口６の前記長手方向における前記一方の側の近傍から板状体３の表面側から背面側に向かう方向で伸びる掛止片支持腕片８ａを介して支持され、板状体３の背面との間に所定の間隔をあけて前記長手方向で、前記一方の側から離れて前記他方の側に向かう方向で伸びている。
【００２４】
図２図示のサイズ調節具２は、図３で説明するように、次のようにして使用される。
【００２５】
サイズ調節具２を、ベルト部１００の一方の端部１００ａの上側から下側に向けて移動させ、板状体３の背面と固定片５との間にベルト部１００の一方の端部１００ａを装入させ、固定片支持腕片５ａを端部１００ａの上端に当接させて、サイズ調節具２をベルト部１００の一方の端部１００ａに装着し、サイズ調節具掛止片８を、ベルト部１００の一方の端部１００ａに取り付けられている鉤部１０１の鉤片１０１ａに掛止する（図３（ａ））。
【００２６】
この状態で、ベルト部１００の他方の端部１００ｂに取り付けられている掛止部１０２の掛止片１０２ａを第二掛止縁６ａに掛止して掛合を行う（図３（ａ））。
【００２７】
このようにすると、図２（ａ）に明らかなように、ベルト部１００の他方の端部１００ｂに取り付けられている掛止部１０２の掛止片１０２ａを、ベルト部１００の他方の端部１００ａに取り付けられている鉤部１０１の鉤片１０１ａに掛止して掛合を行う場合よりも、ベルト１００が装着されている腹囲が大きくなった場合、例えば、食事をたくさん食べたり、急に下着を一枚増やした、等によって、ベルト１００が装着されている腹囲が大きくなった場合に機敏に対応して、サイズを調節することができる。
【００２８】
また、上述したように、サイズ調節具２をベルト部１００の一方の端部１００ａに装着し、サイズ調節具掛止片８を、ベルト部１００の一方の端部１００ａに取り付けられている鉤部１０１の鉤片１０１ａに掛止した状態で、ベルト部１００の他方の端部１００ｂに取り付けられている掛止部１０２の掛止片１０２ａを第一掛止縁７ａに掛止して掛合を行う（図３（ｂ））と、ベルト部１００の他方の端部１００ｂに取り付けられている掛止部１０２の掛止片１０２ａを、ベルト部１００の他方の端部１００ａに取り付けられている鉤部１０１の鉤片１０１ａに掛止して掛合を行う場合よりも、ベルト１００が装着されている腹囲が小さくなった場合、例えば、あらかじめ着込んでいた厚手の下着を脱ぐ、等によって、ベルト１００が装着されている腹囲が小さくなった場合に機敏に対応して、サイズを調節することができる。
【００２９】
前記のように、サイズ調節具の衣服におけるベルト部１００の装着は、単に嵌挿掛止のみでよく、取付け、取り外し容易で、装着に時間もかからず気軽に着脱できる。
【００３０】
この実施形態のサイズ調節具は、必要な時のみ調節し、不必要の時には外すことができると共に、小さいので携帯に便利である。
【００３１】
（実施の形態２）
図４、５を用いてこの実施形態を説明する。
【００３２】
サイズ調節具１２は長手方向（図４（ａ）における左右方向）に伸びる矩形の板状体１３からなる。
【００３３】
板状体１３からなるサイズ調節具２２は、板状体１３の長手方向の一方の側の端側（図４（ａ）では右端側）における前記長手方向に直交する上下方向の上端縁（図４（ａ）における上端縁）から板状体１３の表面側から背面側に向かう方向で伸びる固定片支持腕片１５ａを介して支持され、板状体１３の背面との間に所定の間隔をあけて板状体１３の前記上下方向における下側方向に向かって伸びる固定片１５を備えている。
【００３４】
板状体１３からなるサイズ調節具２２は、板状体１３の前記長手方向において前記長手方向で互いの間に所定の間隔をあけて形成されている２つの掛止開口を備えている。
【００３５】
板状体１３が備えている２つの掛止開口の中の一つである第一掛止開口１７は、前記長手方向において固定片１５が配備されている前記一方の側に近い位置に配備されていて、前記長手方向における前記一方の側に対向する他方の側の開口縁が前記上下方向に伸びる第一掛止縁１７ａになっている。
【００３６】
板状体１３が備えている２つの掛止開口の中の他の一つである第二掛止開口１６は、前記長手方向において固定片１５が配備されている前記一方の側に遠い位置に配備されていて、前記長手方向における前記一方の側に対向する他方の側の開口縁が前記上下方向に伸びる第二掛止縁１６ａになっている。
【００３７】
板状体１３からなるサイズ調節具２２は、更に、第一掛止片１８を備えている。
【００３８】
第一掛止片１８は、第一掛止開口１７の前記長手方向における前記一方の側の近傍から板状体１３の表面側から背面側に向かう方向で伸びる掛止片支持腕片１８ａを介して支持され、板状体１３の背面との間に所定の間隔をあけて前記長手方向で、前記一方の側から離れて前記他方の側に向かう方向で伸びている。
【００３９】
図４図示のサイズ調節具１２は、図５で説明するように、次のようにして使用される。
【００４０】
サイズ調節具１２を、ベルト部１００の一方の端部１００ａの上側から下側に向けて移動させ、板状体１３の背面と固定片１５との間にベルト部１００の一方の端部１００ａを装入させ、固定片支持腕片１５ａを端部１００ａの上端に当接させて、サイズ調節具１２をベルト部１００の一方の端部１００ａに装着し、第一掛止片１８を、ベルト部１００の一方の端部１００ａに取り付けられている鉤部１０１の鉤片１０１ａに掛止する（図５（ａ））。
【００４１】
この状態で、ベルト部１００の他方の端部１００ｂに取り付けられている掛止部１０２の掛止片１０２ａを第一掛止縁１７ａに掛止して掛合を行う（図５（ａ））。
【００４２】
このようにすると、図５（ａ）に明らかなように、ベルト部１００の他方の端部１００ｂに取り付けられている掛止部１０２の掛止片１０２ａを、ベルト部１００の他方の端部１００ａに取り付けられている鉤部１０１の鉤片１０１ａに掛止して掛合を行う場合よりも、ベルト１００が装着されている腹囲が大きくなった場合、例えば、例えば、食事をたくさん食べたり、急に下着を一枚増やした、等によって、ベルト１００が装着されている腹囲が大きくなった場合に機敏に対応して、サイズを調節することができる。
【００４３】
また、上述したように、サイズ調節具１２をベルト部１００の一方の端部１００ａに装着し、第一掛止片１８を、ベルト部１００の一方の端部１００ａに取り付けられている鉤部１０１の鉤片１０１ａに掛止した状態で、ベルト部１００の他方の端部１００ｂに取り付けられている掛止部１０２の掛止片１０２ａを第二掛止縁１６ａに掛止して掛合を行う（図５（ｂ））と、ベルト部１００の他方の端部１００ｂに取り付けられている掛止部１０２の掛止片１０２ａを、ベルト部１００の他方の端部１００ａに取り付けられている鉤部１０１の鉤片１０１ａに掛止して掛合を行う場合よりも、ベルト１００が装着されている腹囲がより一層大きくなった場合に機敏に対応して、サイズを調節することができる。
【００４４】
（その他の実施形態）
図１を用いて説明した衣服１におけるベルト部１００の掛合構造は、一般的に、男性用の衣服に採用されている構造であって、女性用の衣服におけるベルト部の掛合などにおいては、図１のベルト部１００の掛合しあう一方の端部１００ａに掛止部１０２が配備されていて、ベルト部１００の掛合しあう他方の端部１００ｂに掛合部としての鉤部１０１が配備されていてる構造になっていることがある。
【００４５】
図６〜図９図示の実施形態は、このような場合（図１のベルト部１００の掛合しあう一方の端部１００ａに、図１とは異なって、掛止部１０２が配備されていて、ベルト部１００の掛合しあう他方の端部１００ｂに、図１とは異なって、掛合部としての鉤部１０１が配備されている場合）に適用される本考案のサイズ調節具の実施形態を説明するものである。
【００４６】
図６、図７図示の実施形態が、上述した図２、図３図示の実施形態に対応し、図８、図９図示の実施形態が、上述した図４、図５図示の実施形態に対応している。
【００４７】
そこで、符号の説明の欄に、図６、図７、図８、図９の実施形態における図２〜図５の実施形態における構造と対応する部分の説明を記載して、図６〜図９図示の実施形態の説明を省略する。
【００４８】
図６〜図９図示の実施形態のように、図１のベルト部１００の掛合しあう一方の端部１００ａに、図１とは異なって、掛止部１０２が配備されていて、ベルト部１００の掛合しあう他方の端部１００ｂに、図１とは異なって、掛合部としての鉤部１０１が配備されていてる掛合構造の場合には、女性用の衣服、例えば、スカートのように、人体の背面側で掛合を行うものがある。この場合、サイズ調節具を構成する矩形の板状態は、平面で見たときに、図６（ｂ）、図８（ｂ）図示のように、湾曲している必要がないことがある。
【００４９】
図１０〜図１３図示の実施形態は、図６〜図９図示の実施形態のサイズ調節具が、平面で見たときに、図１０（ｂ）、図１２（ｂ）図示のように、湾曲していない、平坦なサイズ調節具を説明するものである。
【００５０】
図１０、図１１図示の実施形態が、図６、図７図示の実施形態、すなわち、上述した図２、図３図示の実施形態に対応し、図１２、図１３図示の実施形態が、図８、図９図示の実施形態、すなわち、上述した図４、図５図示の実施形態に対応している。
【００５１】
そこで、符号の説明の欄に、図１０、図１１、図１２、図１３の実施形態における図２〜図５の実施形態における構造と対応する部分の説明を記載して、図１０〜図１３図示の実施形態の説明を省略する。
【００５２】
なお、図６〜図１３図示の実施形態は、図１のベルト部１００の掛合しあう一方の端部１００ａに、図１とは異なって、掛止部１０２が配備されていて、ベルト部１００の掛合しあう他方の端部１００ｂに、図１とは異なって、掛合部としての鉤部１０１が配備されている場合に適用される本考案のサイズ調節具２２、３２、４２、５２の実施形態を説明するものである。そこで、長手方向に伸びる矩形の板状体２３、３３、４３、５３に固定片２５、３５、４５、５５が配備される、板状体２３、３３、４３、５３の一方の側は、図６（ａ）、図７、図８（ａ）、図９、図１０（ａ）、図１１、図１２（ａ）、図１３において左側になる。
【００５３】
以上、添付図面を参照して本考案の実施形態を説明したが本考案はこれらに限られるものではなく、実用新案登録請求の範囲の記載から把握される技術的範囲において種々の形態に変更可能である。
【００５４】
例えば、上述したサイズ調節具２、１２、２２、３２、４２、５２を構成する手方向に伸びる矩形の板状体３、１３、２３、３３、４３、５３は、金属板のプレス加工又は合成樹脂の成形により製造することができる。前記金属板のプレス加工は、プレスによる打抜成形であり、合成樹脂（例えばナイロン、塩化ビニール、ポリプロピレン）は型による成形品である。金属板としては、ステンレス板又は薄鋼板にメッキを施して用いることができる。例えば、鋼板へクロムメッキした材質とすることにより、発錆を未然に防止し、長く使用することができる。薄金属板をプレス成形すれば、比較的少量（例えば１万個以下）でも比較的低廉に製造できる。然し乍ら十万個乃至数百万個のように多量になると、合成樹脂成型をした方が低廉となり、かつ生産効率が著しくよくなる。合成樹脂の場合には、メッキなどのような工程は不用となる。
【００５５】
前記のように、サイズ調節具の衣服におけるベルト部１００の装着は、単に嵌挿掛止のみでよく、取付け、取り外し容易で、装着に時間もかからず気軽に着脱できる。この考案のサイズ調節具は、必要な時のみ調節し、不必要の時には外すことができると共に、小さいので携帯に便利である。
【符号の説明】
【００５６】
１  衣服
２、２２、４２    サイズ調節具
３、２３、４３    矩形の板状体
５、２５、４５    固定片
５ａ、２５ａ、４５ａ    固定片支持腕片
７、２６、４６    第一掛止開口
７ａ、２６ａ、４６ａ    第一掛止縁
６、２７、４７    第二掛止開口
６ａ、２７ａ、４７ａ    第二掛止縁
８、２８、４８    サイズ調節具掛止片
８ａ、２８ａ、４８ａ    掛止片支持腕片
１２、３２、５２    サイズ調節具
１３、３３、５３    矩形の板状体
１５、３５、５５    固定片
１５ａ、３５ａ、５５ａ    固定片支持腕片
１６、３７、５７    第二掛止開口
１６ａ、３７ａ、５７ａ    第二掛止縁
１７、３７、５７    第一掛止開口
１７ａ、３６ａ、５６ａ    第一掛止縁
１８、３８、５８    サイズ調節具掛止片
１８ａ、３８ａ、５８ａ    掛止片支持腕片
１００  衣服におけるベルト部
１００ａ  ベルト部における互いに掛合され合う一方の端部
１００ｂ  ベルト部における互いに掛合され合う他方の端部
１０１  ベルト部の互いに掛合し合う一方の端部に配備される掛合部（鉤部）
１０１ａ  鉤部の鉤片
１０２  ベルト部の互いに掛合し合う他方の端部に配備される掛止部
１０２ａ  掛止部の掛止片
【図１】
0003202999.tif 000003
【図２】
0003202999.tif 000004
【図３】
0003202999.tif 000005
【図４】
0003202999.tif 000006
【図５】
0003202999.tif 000007
【図６】
0003202999.tif 000008
【図７】
0003202999.tif 000009
【図８】
0003202999.tif 000010
【図９】
0003202999.tif 000011
【図１０】
0003202999.tif 000012
【図１１】
0003202999.tif 000013
【図１２】
0003202999.tif 000014
【図１３】
0003202999.tif 000015